(57)【要約】  運動器具は、その上に足ペダルが搭載されるフレームと、空気注入式袋を有するシートとを含む。これにより、ユーザは、心臓血管ワークアウトと、腹筋および背筋のコアワークアウトとを行ない得る。人が空気注入式シート上に座った際の空気注入式袋の圧縮度を検知するのにセンサを用いてもよい。これにより、これに応じて袋の内圧を調節してもよい。フレームは取外し可能な２つのセクションを有してもよく、これによりセクションのうち１つおよび空気注入式シートは、取外されると着座アセンブリとして働く。
2012527301.tif 000002
【特許請求の範囲】
【請求項１】
運動器具であって、
長手方向をその間に規定する前方部および後方部と、軸方向をその間に規定する左側および右側とを有するフレームと、
前記フレーム上に可動に装着される１組のペダルと、
前記１組のペダルから後方に、前記フレームによって規定されるシート受け空間と、
前記シート受け空間内に固定され、ユーザの足が前記ペダルの上にある間に前記器具のユーザが上に座るように適合される空気注入式シートとを備える、運動器具。
【請求項２】
前記空気注入式シートから上方に延在しかつこれに隣接し、前記ユーザが前記空気注入式シート上に座っている間にユーザの背中がもたれるように適合されるシート背部をさらに備える、請求項１に記載の器具。
【請求項３】
前記フレームの頂部および底部と、前記空気注入式シート背後で上方に延在する前記フレームのシート背部支持部と、前記シートの左および右にそれぞれ延在する左および右の細長いアームと、第１の接続部で前記シート背部支持部に接続される前記左アームの第１の端と、前記第１の接続部よりも前方でかつそれよりも低い第２の接続部で前記底部に隣接して前記フレームに接続される前記左アームの第２の対向端と、第３の接続部で前記シート背部支持部に接続される前記右アームの第１の端と、前記第３の接続部よりも前方でかつそれよりも低い第４の接続部で前記底部に隣接して前記フレームに接続される前記右アームの第２の対向端とをさらに備え、前記シート背部は前記シート背部支持部上に装着される、請求項２に記載の器具。
【請求項４】
前記左アームは上向きにかつ左に角度付けられる左平面に沿って存在する円の弧を形成するセグメントを備え、前記右アームは上向きにかつ右に角度付けられる右平面に沿って存在する円の弧を形成するセグメントを備える、請求項３に記載の器具。
【請求項５】
前記左および右平面は上向きにおよび後ろ向きに角度付けられる線で交差する、請求項４に記載の器具。
【請求項６】
前記フレームに固定されかつ前記シートの左および右にそれぞれ延在する左右アーチ状アームをさらに備え、前記左右アームは、それぞれの後方セグメントと、前記後方セグメントにそれぞれ接続され、かつ前記後方セグメントから前方に延在する中間セグメントと、前記中間セグメントにそれぞれ接続され、かつ前記中間セグメントから下向きに延在する前方セグメントとを備え、前記中間セグメントは、一般的に互いに面し、上から見ると凹状にカーブするそれぞれの内面を有し、前記中間セグメントは、横から見ると凹状にカーブするそれぞれの下向きに面する底面を有し、前記器具は、前記それぞれの中間セグメント上に左右ハンドルをさらに備える、請求項１に記載の器具。
【請求項７】
前記前方セグメントは側面から見ると凹状にカーブするそれぞれの後方に面する裏面を有する、請求項６に記載の器具。
【請求項８】
前記フレームに固定され、かつ前記シートの左右にそれぞれ延在する左および右アーチ状アームをさらに備え、前記左アームはその全体が、上向きにかつ左に角度付けられる左平面に沿って存在し、前記右アームはその全体が、上向きにかつ右に角度付けられる右平面に沿って存在する、請求項１に記載の器具。
【請求項９】
前記フレームに固定され、かつ前記シートの左右にそれぞれ延在する左右アーチ状アームをさらに備え、前記左右アームはともに、上から見ると実質的にハート型の構成を有する、請求項１に記載の器具。
【請求項１０】
側面から見ると凹状にカーブする上向きに面する頂面を有するシート支持部をさらに備え、前記空気注入式シートは側面から見ると凸状にカーブする外面を有し、前記凸状にカーブする外面は前記凹状にカーブする頂面上に着座する、請求項１に記載の器具。
【請求項１１】
後ろから見ると前記シート支持部の断面の前記頂面は真っ直ぐかつ水平である、請求項１０に記載の器具。
【請求項１２】
前記凸状にカーブする外面は曲率半径を有し、前記凹状にカーブする頂面は前記凸状にカーブする外面とほぼ同じ曲率半径を有する、請求項１０に記載の器具。
【請求項１３】
前記シートに対する下向きの力に応答して屈曲する前記シート支持部の部分をさらに備える、請求項１０に記載の器具。
【請求項１４】
側面から見ると凹状にカーブする上向きに面する頂面を有する剛性細長フレーム部材をさらに備え、前記シート支持部は、側面から見ると凸状にカーブする下向きに面する底面を有し、前記シート支持部は前記細長フレーム部材に固定され、前記凸状にカーブする底面は前記凹状にカーブする頂面上に着座してその間に嵌まり合う係合を形成する、請求項１０に記載の器具。
【請求項１５】
前記空気注入式シートが着座するシート支持部と、前記シートに対する下向きの力に応答して屈曲する前記シート支持部の部分とをさらに備える、請求項１に記載の器具。
【請求項１６】
前記シート支持部はプレートを備え、屈曲する前記シート支持部の前記部分は前記プレートの部分を備える、請求項１５に記載の器具。
【請求項１７】
前記フレームの前方セクションと、前記フレームの後方セクションと、前記前方セクション上に前記後方セクションを取外し可能に装着するための固定機構とをさらに備え、前記１組のペダルは前記前方セクション上に装着され、前記シートは前記後方セクション上に装着され、前記後方セクションおよび空気注入式シートはともに、前記後方セクションが前記前方セクションから取外されると着座アセンブリとして働く、請求項１に記載の器具。
【請求項１８】
前記後方セクションは前方および後方端を有し、前記器具は、その前記前方端に隣接して前記後方セクションに固定され、前記後方セクションから下向きに延在し、かつ、前記後方セクションが床の上に着座された際の床の引っかきを最小限にするように十分に軟らかい実質的に引っかきを作らない材料から形成される足部をさらに備える、請求項１７に記載の器具。
【請求項１９】
前記空気注入式シートは、前記シートの圧縮の度合いに応じて調節可能な高さの座面を有し、前記器具は、前記座面の前記高さを検知するための、前記空気注入式シートに動作するように接続されるセンサをさらに備える、請求項１に記載の器具。
【請求項２０】
前記空気注入式シートと流体連通する空気圧縮器をさらに備える、請求項１に記載の器具。
【発明の詳細な説明】
【技術分野】
【０００１】
発明の背景
１．技術分野
本発明は運動器具に一般的に関する。より特定的には、運動器具は、自転車のペダルをこぐことによって主に達成される心血管運動と組合せて人間の体幹のコアマッスルの運動を与えるのに空気注入式シートを用いる静止自転車を含む、または静止自転車の形態である。
【背景技術】
【０００２】
２．背景情報
静止自転車は運動器具の分野で周知である。静止自転車の主な焦点は、心血管ワークアウトを与えるための脚部の運動である。しかしながら、静止自転車は、人間の胃の領域および背中の領域のコアマッスルまたは体幹筋肉のワークアウトを与えるには相対的にほとんど役立っていない。このように、特により高度な運動を行なうことに興味がある人々にとっては、そのようなワークアウトを確かに提供する静止自転車を提供することが技術分野で有用であろう。本発明では主にこの関心を扱っている。
【発明の概要】
【課題を解決するための手段】
【０００３】
発明の簡単な要約
１つの局面では、本発明は、足踏みペダルと空気注入式袋を有するシートとを備える運動器具を含み、これによりユーザは心血管ワークアウトならびに腹筋および背筋のコアワークアウトを行ない得る。
【０００４】
別の局面では、本発明は、空気注入式袋を有するシートと、空気注入式袋の圧縮度合いを検知し、これにより袋の内圧を調節し得るセンサとを備える運動器具を含む。
【０００５】
出願人が原則を適用することを企図する最良モードを図示する発明の好ましい実施形態を以下の説明で述べ、図面で示し、添付の請求項で特におよび区別的に指摘し、述べる。
【０００６】
同様の番号は図面を通じて同様の部分を指す。
【図面の簡単な説明】
【０００７】
【図１】本発明の静止自転車の第１の実施形態の斜視図である。
【図２】図１と同様の、一部が破断され断面が示される、フレームから取外された空気注入式シートを示す図である。
【図３】変形された空気注入式シートと、シートをその上に装着するための変形された装着構造との断面図である。
【図４】別の変形された空気注入式シートと、シートのための関連の変形された装着構造とを示す、図３と同様の断面図である。
【図５】空気注入式シートが萎んだ静置位置にある、空気式システムおよびシート高さセンサを示す、一部が破断され一部が断面で示される静止自転車の側面立面図である。
【図６】図５と同様の、多数の可能な圧縮位置のうち１つを示す、ある度合いまで圧縮された空気注入式シート上に座った、器具のユーザを示す図である。
【図７】本発明の静止自転車の第２の実施形態の左側面立面図である。
【図８】空気注入式シートの一部が破断され断面で示される、第２の実施形態の右側面立面図である。
【図９】第２の実施形態の後方端立面図である。
【図９Ａ】図７の線９Ａ−９Ａに沿った断面図である。
【図９Ｂ】図１２の線９Ｂ−９Ｂに沿った断面図である。
【図９Ｃ】図８の線９Ｃ−９Ｃに沿った断面図である。
【図１０】第２の実施形態の前方端立面図である。
【図１１】第２の実施形態の上面平面図である。
【図１２】第２の実施形態の底面平面図である。
【発明を実施するための形態】
【０００８】
発明の詳細な説明
本発明の静止運動自転車またはバイクの第１の実施形態を図１および図２に一般的に１０で示し、本発明の静止運動自転車の第２の実施形態を図７−図１２に一般的に１００で示す。発明に従うと、バイク１０は空気注入式シート１２を含む。シート１２は球形を有するが、これはさまざまな形状に構成されてもよい。図３は、実質的に球状の代替的な空気注入式シート１２Ａを示し、図４は実質的に半球状の空気注入式シート１２Ｂを示す。バイク１０は、鋼などの金属から典型的に作られる剛性フレーム１４を含む。フレーム１４は、フレームおよびバイクの長手方向をその間に規定する前方部１６および後方部１８を有する。フレーム１４は、フレームおよびバイクの軸方向をその間に規定する左右側２０および２２を有する。例示的な実施形態では、フレーム１４は、典型的には床Ｆ（図３−図６）上に着座される自立フレームとして構成されるが、これは他のやり方で固定されてもよい。
【０００９】
フレーム１４は、剛性チューブ状軸方向細長前方床または安定性バー２４と、バー２４に実質的に平行な剛性チューブ状軸方向細長後方床または安定性バー２６とを含む。バー２４および２６の各々は典型的に真っ直ぐかつ水平であり、床Ｆ上に着座し、典型的には床に沿った滑りに抗し、かつ床の引っかきを最小限にするまたはなくすように十分に軟らかい材料から形成される左右端キャップ２５をその上に装着する。フレーム１４は、長手方向に細長く、バー２４と２６との間に水平方向に延在しかつこれらに強固に固定される底部長手方向フレーム部材２８をさらに含む。バー２４および２６の各々は、フレーム部材２８とのそれらの接続部から反対方向へ軸方向に外向きに延在するそれぞれの左右セグメントを有する。このように、バー２４および２６は、床上に着座するとバイク１０に好適な安定性を与える。バー２４および２６ならびにフレーム２８は、運動器具１０が床Ｆの上に着座されると床に隣接する。
【００１０】
フレーム１４は、以下にさらに注記されるように、さまざまな構成要素を支持し、フレーム部材２８の前方部に強固に固定され、かつこれから上向きに延在し、次に後方端に向けて後ろ向きに延在する剛性前方高所支持部３０をさらに含む。フレーム１４は、フレーム部材２８の後方端に強固に固定され、かつ後方部材２８および後方バー２６への剛性接続部から上向きに延在する直立部の形態の剛性チューブ状後方シート背部支持部３２も含む。長手方向フレーム部材２８は、実質的に水平で、かつアーチ状チューブ状セグメント３５を介して支持部３２と組合せてＬ字構成を形成する剛性チューブ状直線後方長手方向フレーム部材３３を含む。フレーム１４は、直立支持部３２に固定され、これからそれぞれ軸方向に外向きに延在し、フレーム部材３３へ向けて前方および下向きに延在する剛性チューブ状左右アーム３４Ａおよび３４Ｂをさらに含む。例示的な実施形態では、左右アーム３４Ａおよび３４Ｂは互いの鏡像であり、このように、左右側２０と２２との間の中途で運動器具１０の中心を通る鉛直方向中央長手方向延在平面Ｐ１について左右対称である。
【００１１】
例示的な実施形態の各々のアーム３４は単一のチューブから形成され、したがってこれは、支持部３２への剛性接続部３９に取付けられる第１のまたは後方の端３７から、フレーム部材３３への剛性接続部４３に取付けられる第２のまたは前方の端４１へ延在する。後方端３７および接続部３９は、前方端４１および接続部４３よりも後方にあり、かつこれらより高い。図５は、端３７および３９または接続部３９および４３のそれぞれの中心を通って延在する線Ｌ１を図示し、したがって線Ｌ１と床Ｆなどの水平平面とは、その間に、線Ｌ１が上向きかつ後ろ向きに角度付けられることを一部で図示する鈍角Ｋを規定する。例示的な実施形態では、角度Ｋは典型的に約１２０、１２５、または１３０度から約１４０、１４５、または１５０度の範囲にあるが、これは異なってもよい。左右剛性サイドグリップハンドル３６Ａおよび３６Ｂはそれぞれ左右アーム３４Ａおよび３４Ｂに固定され、これらから片持ち梁の態様で外向きに突出する。ハンドル３６は典型的に、発泡材、ゴム、またはエラストマーなどの弾性の圧縮可能な材料から形成されるグリップを含む。ハンドルのこれらのグリップは内蔵心拍または脈拍センサを有してもよい。
【００１２】
フレーム１４は、実質的に水平で、かつアーム３４との交差部に隣接するフレーム部材３３の上に固定される平らな円形プレートまたは円盤３８の形態の剛性ボール支持部をさらに含む。ボール１２は、プレート３８の上に、フレームの後部または後方端１８に隣接して着座される。プレート３８はボール１２の剛性支持部を設けるが、ある程度の上向きおよび下向きの可撓性を許す支持部も構成されてもよい。たとえば、プレートまたはアームは、ユーザがボールの上に座るなどによって力を加える場合などのボール１２の下向きの動きに応答して下向きまたはそれ以外に屈曲することができる自由末端へ上向きに延在するようにプレートまたはアームが片持ち梁状にされるように、ボール１２の球状外面と嵌まり合う構成の凹状にカーブした上向きに面する表面を有するように構成されてもよい。これらの片持ち梁状のアームは同様に、下向きの力または重みが除かれるまたは減じられると上向きにまたはそれ以外に屈曲するであろう。そのようなアームは、そのような可撓性を可能にする好適な厚みの鋼などの金属または他の材料からなる相対的に薄いプレートから形成可能であり、アームの金属と膨らませたシートの外面との間にさまざまな種類のクッションもその上に位置決めされてもよい。
【００１３】
例示的な実施形態では、ボール１２をフレーム１４に固定するのに、糊、接着剤、または他の締結装置は用いない。このように、ボール１２は、図１に示される装着位置から図２に示される降ろされたまたは取外された位置へ動かされて、ボールまたはシートに加えられる単純な手作業での持ち上げ力によってフレームから分離されてもよい。しかしながら、糊、接着剤、または他の締結具を用いてボール１２をフレーム１４に固定してもよい。たとえば、フック、チェーンの閉じたループもしくはリンク、または繋ぎ綱、コードなどがボール１２からフレーム１４に延在してボールをフレームに固定してもよい。シート背部４０は支持部３２に固定され、支持部に取付けられる相対的に剛性の後方部分と、ユーザが動作の間凭れ掛かる前方に面する表面を有するパッド付き前方セクションとを典型的に含む。シート背部４０は、これがフレームに対して静止するように固定されてもよく、またはたとえば前方もしくは後方に傾くようにフレーム上に可動に装着されてもよい。さらに、シート背部４０は所望により鉛直方向に調節可能および長手方向に調節可能であってもよい。
【００１４】
フレーム１４は前方セクション４２と後方セクション４４とを含み、これらは、取外し可能に互いに接続され得、例示的な実施形態では長さ調節機構４６によって選択的に互いに固定される。機構４６は、図２に矢印Ａで示されるように、フレーム１４の長さおよびシートとペダルとの間の長さの調節を可能にするように構成される。前方セクション４２内のフレーム部材２８の部分は、チューブ４８の形態の直線水平剛性後方部材の形態の後方セクションを含む。この部材は、その前方端で、前方床バー２４および高所支持部３０にそれらの前方端に隣接して接続される左右剛性下方チューブ状二股部５０Ａおよび５０Ｂに分かれている。一連の長手方向に間隔を空けられた穴５２が後方チューブ４８およびフレーム部材３３の前方部分に形成されるため、これらの部材のうち各々の穴は互いと整列されて、フレーム１４の選択された長さで前方および後方セクション４２および４４を互いに固定する固定ペグ５４をそれを通して受けてもよい。例示的な実施形態では、フレーム部材３３の前方端は、摺動式にまたは入れ子式に後方チューブ４８の中空内部内に受けられる。穴５２およびペグ５４の使用は長さ調節アセンブリのための単純な固定機構を設けるが、技術分野で公知の他の好適な固定機構も用いてもよい。例示的な実施形態では、高所支持部３０は左右剛性チューブ状上方二股部５６Ａおよび５６Ｂを含み、これらは、それぞれ左右下方二股部５０Ａおよび５０Ｂに固定され、そこから上向きおよび後向きに延在する。
【００１５】
剛性はずみ車筐体５８は、一般的に前方部１６に隣接するフレーム１４に固定される。例示的な実施形態では、筐体５８は二股部５０上に着座されてこれに固定され、上方二股部５６の前方部分に固定される。１組の左右ペダル６０Ａおよび６０Ｂは、剛性のクランクまたは車軸６２を介して車軸６２の水平軸方向延在軸Ｂの周りを回転可能に装着される。クランク６２は筐体５８から左右に外向きに延在し、それぞれのペダルアーム６４Ａおよび６４Ｂがクランク６２を横断するようにかつ典型的にほぼ垂直に延在する。左ペダル６０Ａは、軸Ｃが軸Ｂに平行でありかつこれからオフセットするように、ペダルアーム６４Ａの外側端に、左ペダル車軸の水平軸方向延在軸Ｃの周りを回転可能に装着される。同様に、右ペダル６０Ｂは、軸Ｄが軸ＢおよびＣに平行でありかつそれらからオフセットされるように、右ペダル車軸の別の水平軸Ｄの周りを回転可能にペダルアーム６４Ｂの端に装着される。このように、ペダル６０Ａおよび６０Ｂのペダル車軸は、各々のペダルがそのそれぞれのペダル車軸の周りを回転する間、軸Ｂの周りで同心のそれぞれの円形経路に沿った動作の間揺動する。左右クランク受け穴６６Ａ（図１、図２）および６６Ｂ（図５、図６）は、それぞれそれを通ってクランク６２のそれぞれの部分を受けるため、筐体５８の左右側を通るように形成される。
【００１６】
剛性ハンドルバー６８は、片持ち梁状の高所支持部３０の後方高所自由端に固定される。ハンドルバー６８は左右セグメントを含み、左右前方グリップハンドル７０Ａおよび７０Ｂがそれぞれその末端に固定される。ハンドル７０は典型的にハンドル３６のグリップと同様のグリップを含み、したがって同じ材料から形成され、心拍または脈拍センサを含んでもよい。ただし、ハンドルバー６８および／またはハンドル７０は、さまざまな位置の間でそれらを動かせるようにさまざまなやり方で装着されてもよい。たとえば、ハンドルバー６８は、ハンドル７０がさまざまな持ち上げられた位置と下げられた位置との間で動かせるように回動可能に装着されてもよく、所望によりこれらのさまざまな位置に固定されてもよい。さらに、ハンドルバー６８および／またはハンドル７０は、ユーザの望みに応じてハンドルを位置決めし固定するように軸方向または長手方向に調節可能であってもよい。また、支持部３０の自由端には、典型的には液晶ディスプレイ（ＬＣＤ）およびバイク１０の操作で用いられるさまざまなコントロールを含む組合せ表示および制御ユニット７２も固定される。さまざまなコントロールは典型的に電気的に動作され、たとえば、手動で操作可能なさまざまなボタン、感熱性パッド、または感圧性パッドを利用してもよい。さまざまな表示機能がユニット７２のＬＣＤ上に表示されてもよい。たとえば、これらのディスプレイは、回転中のペダルのＲＰＭまたは１分当たり回転数、ユーザがバイクを操作した時間の量、ユーザが現実の自転車で進んでいるであろうシミュレーションされたスピード、車輪付き自転車で進むであろうシミュレーションされた距離、ワークアウト中に燃焼するカロリー、トレーニング中のユーザの脈拍または心拍、バイクが操作される現在の室温、年月日を示すカレンダー、現在の時間および分を示す時計、などを含んでもよい。ディスプレイは、さまざまな表示機能の間を実行されてユーザがさまざまなモニタおよび／またはトレーニングプログラムを追跡できるようにするスキャンオプションを含んでもよい。ディスプレイは、ユーザが映像、テレビを見ることができるようにする映像画面、および／またはこれを助けもしくは音楽などを聞くスピーカも含んでもよい。ディスプレイはグリップまたはハンドル３６および７０中の内蔵心拍または脈拍センサと電気的に通信する。
【００１７】
主に図２を参照して、フレームのアーチ状左右アーム３４Ａおよび３４Ｂは、直立部３２からそれぞれ軸方向に外向きに実質的に水平に延在するそれぞれの左右後方セグメント７４Ａおよび７４Ｂと、後方セグメント７４Ａおよび７４Ｂからそれぞれ前方に延在するそれぞれの中間セグメント７６Ａおよび７６Ｂと、中間セグメント７６Ａおよび７６Ｂの前方部からそれぞれ下向きに延在する前方セグメント７８Ａおよび７８Ｂとを含む。それらの下方端に隣接する前方セグメント７８Ａおよび７８Ｂは、フレーム部材３３とのそれらの剛性接続部に向けて軸方向に内向きに延在する。より特定的には、左右後方セグメント７４Ａおよび７４Ｂは、短い距離の間直立部３２からほぼ直線に沿って軸方向に外向きに延在し、次に前方へおよびわずかに上向きにカーブして左右中間セグメント７６Ａおよび７６Ｂにそれぞれ遷移し、左右中間セグメント７６Ａおよび７６Ｂは前方へおよび下向きにカーブして左右前方セグメント７８Ａおよび７８Ｂに遷移する。上から見ると、後方セグメント７４Ａおよび７４Ｂの軸方向外側端ならびに中間セグメント７６Ａおよび７６Ｂの後方部分は、それらの内面８５が凹状にカーブして互いおよび平面Ｐ１に向けてほぼ前方にかつ軸方向に内向きに面するようにカーブする一方で、それらの外面８７が凸状にカーブして互いからおよび平面Ｐ１から離れるようにほぼ後ろ向きにかつ軸方向に外向きに面するようにカーブする。側面から見ると、中間セグメント７６Ａおよび７６Ｂの底部下向き表面８９は凹状にカーブする一方で、それらの頂部上向き表面９１は凸状にカーブする。側面から見ると、前方セグメント７８Ａおよび７８Ｂの後方に面する裏面９３は凹状にカーブする一方で、それらの前方の前向きに面する表面９５は凸状にカーブする。前方セグメント７８Ａおよび７８Ｂの下方端は、フレーム部材３３とのそれらのそれぞれの接続部４３に向けて後ろ向きにカーブする。前方からまたは側面から見ると、フレーム部材３３との接続部に隣接する前方セグメント７８Ａおよび７８Ｂの下方部分の頂部上向き表面９７は凹状にカーブする一方で、それらの底部下向き表面９９は凸状にカーブする。
【００１８】
後方端１８に隣接するフレーム１４は、頂部入口開口７７と、前方入口開口７９と、左後方入口開口８１と、右後方入口開口８３とを有するボール受け空間７５を規定する。ボール受けまたはシート受け空間７５は、アーム３４Ａと３４Ｂとの間、直立部３２の前方、およびボール支持部３８の上に一般的に規定される。例示的な実施形態では、ボール支持部３８の頂面が空間７５の底部を規定し、直立部３２の前方部が空間７５の背部を規定し、アーム３４の中間セグメント７６および／または前方セグメント７８の部分が典型的に空間７５の左右側を規定する。頂部入口開口７７は中間セグメント７６Ａと７６Ｂとの間に規定される一方で、前方入口開口７９は前方セグメント７８Ａと７８Ｂとの間に規定される。左後方入口開口８１は、左アーム３４Ａと、直立部３２と、ボール支持部３８と、ボール支持部３８から後方に延在するフレーム部材３３の後方部分との間に一般的に規定される。同様に、右後方入口開口８３は、右アーム３４Ｂと、直立部３２と、ボール支持部３８と、支持部３８から後ろ向きに延在するフレーム部材３３の後方部分との間に一般的に規定される。例示的な実施形態では、入口開口７７、７９、８１、および８３の各々には、当該入口開口を規定するさまざまな構造同士の間に延在する任意の構成要素がまったくないまたは実質的にない。例示的な実施形態では、器具１０には、膨らませたシート１２以外に、空間７５の中に延在する構成要素がないまたは実質的にない。
【００１９】
図２に示されるように、空気注入式シート１２は実質的に球状の袋または壁８０から形成され、これは実質的に球状の外面８２および実質的に球状の内面８４を有し、シート１２を膨らませる場合およびその表面上に座った際にそれ自身の重量以外によっては実質的にシートが圧縮されない静置状態にある場合にその中に球状の内部チャンバ８６を規定する。袋または壁８０は、可撓性で伸縮性がある一方で、バイク１０の操作の際はその上に座るユーザを支持するのに十分厚みもあるゴムまたはエラストマーから典型的に形成される。図２は、膨らませた静置状態にある場合は外面８２が通常約５０または５５センチメートルから約６０または６５センチメートルの範囲、およびより広くは約３５、４０または４５センチメートルから約６５、７０または７５センチメートルの範囲内にある外径ｄを規定することも示す。
【００２０】
図１および図５に示されるように膨らませたシート１２がフレーム１４上に静置して装着されると、外面８２の底部はプレート３８の水平頂面上に着座する一方で、球１２の頂部と底部との間のほぼ中途の外面の後方部分は典型的にシート支持部３２の前方部にぴったりと隣接するかまたは当接し、球状シート１２の前方半分の外面８２の左右下方部分は前方セグメント７８Ａおよび７８Ｂの下方部分にぴったりと隣接するかまたは当接する。典型的に外面８２は、以上注記した場所で、フレーム１４と本質的に４点接触しかしていない。典型的に、中間セグメント７６Ａおよび７６Ｂはシート１２から外向きに間隔を空けられ、したがって静置されている場合またはユーザがシートの上に座って圧縮されている場合は、シート１２の外面８２と接しない。また典型的には、球の外面とフレーム１４のさまざまな表面との間の以上注記された接触場所または界面は、膨らませたボールが静置された状態であるために外面８２の残余がフレーム１４と接していない場合は、ボールとフレームとの間の唯一の接触場所である。上向きに延在し、シート１２の外面に接するフレームの部分は、シートがプレート３８上を転がるのを実質的に防止する。シート１２は、シート１２とフレーム１４との間の摩擦係合（または用いられる場合は固定装置）により空間７５内に実質的に回転しないように装着もされる。その操作構成では、内部チャンバ８６は最も典型的には空気である気体で充填される。このように、袋または壁８０は、その中で用いられる空気または任意の他の気体を通さない材料から形成される。シート１２は、袋を膨らませるまたは萎ませることができるように弁を有する空気口を含んでも含まなくてもよい。
【００２１】
球１２が膨らまされてその静置状態になると、フレーム１４は、頂部入口開口７７を通して、典型的には前方入口開口７９の部分を通して受け空間７５内でシート１２を受けるように構成される。これら開口はともに、中間セグメント７６および前方セグメント７８に沿って一般的に上向きにかつ前方に延在する入口開口を形成する。このようにシート１２は、ボール支持部３８の上に着座するまで、入口開口７７および開口７９の部分を通って実質的に鉛直方向にまたは下向きかつ後方に、下向きに挿入される。空間７５への球のこの下向きまたは下向きかつ後方への挿入は、アーム３４のある部分に対する膨らませたシートの圧縮に係っても係らなくてもよい。そのような圧縮が確かに起こる場合は、これは典型的に球の外面と前方セグメント７８および／または支持部３２の下方部分との間の摺動係合によるものである。
【００２２】
一旦シート１２が空間７５内に適切に位置決めされると、前方セグメント７８の下方部分は、その静置状態で球の外面に当接してもよい。前方セグメント７８の下方部分はボールが前方入口開口７９を通って空間７５から前方に転がり出るのを一般的に防止する。ボールは前方入口開口７９を通って空間７５から水平方向前方に押しやられ得るが、これは典型的に、セグメント７８Ａおよび７８Ｂに対するならびにその間でのボールの十分な圧縮を与えて入口開口７９を通って動かすのにかなりの量の力を必要とするであろう。一般的に、左右後方入口開口８１および８３は、器具１０の使用の間にそれぞれの入口開口を通ってボールが動かないように、それぞれの入口開口の少なくとも１つの寸法が膨らませたボールの直径よりも十分に小さくなるように構成されている。膨らませたボールシート１２が受け空間７５の中で静置状態に位置決めされる場合、サイドグリップハンドル３６はボールの頂部とほぼ同じ高さにあるが、それらはわずかにより高くてもより低くてもよい一方で、中間セグメント７６は、ボールの頂部の高さとも同様の高さにあるが、典型的にはこの高さよりもやや低い。ハンドル３６および中間セグメント７６は、典型的にはボールの頂部と底部との間の中途の点（ボールの中心Ｘ）の高さよりも実質的に上、典型的にはボールの高さの少なくとも３／４にある。各々の前方セグメント７８のいちばん前の点は、例示的な実施形態ではボール１２のいちばん前の部分とほぼ同じ距離だけシート支持部から長手方向前方にかつそのいくぶん後方に、典型的には間隔を空けられるが、それはその前方にあってもよい。以前注記したように、図３および図４は、空気注入式シートの変形されたものを示す。図３に示される空気注入式シート１２Ａは実質的に球形であるが、袋または壁８０Ａはシート１２の壁８０に対していくぶん変形されてもよい。袋８０Ａは、実質的に球状の壁部分８８と、壁部分８８の底部区域に固定されるととともにそこから上向きかつ内向きに延在する凹んだ壁部分９０とを含む。凹んだ壁部分９０は、他の形状も用いてもよいが典型的には円筒形または円錐台の形の環状側壁９２と、環状側壁９２の頂部に固定される頂部壁９４とを含む。側壁９２および頂部壁９４はその中に底部凹部９６を規定し、これは、球状壁部分８８の外面８２と連通する底部入口開口９８を有する。凹んだ壁部分９０はこのように内部チャンバ８６の中へ内向きに突出するので、凹部９６は凹部９６の中心を通る鉛直方向軸に対して環状側壁９２から径方向外向きに延在する内部チャンバ８６の底部部分によって完全に取囲まれるか取巻かれる。袋８０Ａの外面８２は、袋８０に関して以上注記したような範囲内の直径も有する。
【００２３】
フレーム１４は空気注入式シート１２Ａの使用に応じて変更される。より特定的には、フレーム１４は、プレート３８に強固に固定され、プレート３８から上向きに延在するとともに、凹部９６を規定する凹んだ壁部分９０の表面と嵌まり合う構成の外面を有するインサートまたは突出部１００を含む。インサート１００はこのように、他の形状が好適であるかもしれないが典型的には形状が円筒形または円錐台の形である環状側壁１０２を含む。インサート１００は、頂部環状側壁１０２に固定される頂部壁１０４をさらに含む。インサート１００は本質的に、上向きに延在し、中実構造としても形成されてもよい柱である。インサート１００が凹部９６で受けられると、これはこのように側壁９２と側壁９２から径方向外向きに延在する内部チャンバ８６の下方部分とによって完全に取囲まれるか取巻かれる。凹部９６およびその中のインサート１００の使用はこのように、フレーム上に空気注入式シートを装着してこれがその上を転がるのを実質的に防止する異なるやり方を提供する。シート１２Ａの使用の間、凹んだ壁部分９０は典型的に実質的に固定されるまたは静止したままである一方で、実質的に球形の部分８８上では、ユーザがシート１２Ａ上に座りその周りで動くと、圧縮および減圧の際はそれに対して可撓に可動である。凹んだ壁部分９０とインサート１００との間に、摩擦係合、またはおそらくは凹んだ壁部分９０がインサート１００の上にフィットしそれから取外されるように伸びることが必要とされ得る伸縮フィットしか存在しないかもしれない限りは、インサート１００および凹部９６は、シート１２Ａを単にインサート１００から持ち上げてもよいように構成されてもよい。糊、接着剤、または他の固定具も用いて凹んだ壁部分９０にインサート１００の外面を固定するのを助けてもよい。
【００２４】
以上注記したように、代替的な空気注入式シート１２Ｂおよび代替的な装着構造を図４に図示する。シート１２Ｂは形状が実質的に半球状であり、実質的に半球状の壁部分１０６と、実質的に半球状の内部チャンバ８６を規定するようにその底部に固定される実質的に平らな円形底部壁部分１０８とを有する袋または壁８０Ｂを含む。フレーム１４は、フレーム部材３３に強固に固定されかつこれから上向きに延在する直立部または支持部１１０を含むように変形され、実質的に平らな円形水平プレートまたは円盤１１２がその上に強固に固定される。操作中の底部壁部分１０８はこのように、実質的に固定されるまたは静止したままである一方で、半球状壁部分１０６は、ユーザがその上に座っている間はユーザの動きに応答して可撓にかつ伸びるように可動である。底部壁部分１０８の平らな底面はこのように、典型的には糊または何らかの形態の接着剤を用いてプレート１１２の平らな頂面に固定される。ベルクロ（登録商標）などの他の公知の固定機構も用いてもよい。底部壁部分１０８に隣接する袋８０Ｂの外面８２は、典型的には約４０センチメートルのオーダ、通常は３０から３５センチメートルから４５または５０センチメートルの範囲内、より広くは約２５センチメートルから約５５または６０センチメートルの範囲内の水平方向に測定されるような外径を規定する。底部壁部分１０８の直径もこのようにこれらの範囲内に入る。
【００２５】
次に図５を参照して、筐体５８は、左右鉛直方向パネル１１４Ａおよび１１４Ｂ（左パネル１１４Ａは図１に示される）を含む。筐体５８は、鉛直方向パネル１１４のそれぞれの外周に接続される周壁１１６をさらに含む。これによりパネル１１４および周壁１１６はその中に筐体５８の内部チャンバ１１７を規定する。ほぼ平らでかつ鉛直方向に向いたはずみ車１１８は内部チャンバ１１７内に配設され、クランク６２がその中心に強固に固定されかつそれから左右に外向きに延在する。より特定的には、穴６６Ａおよび６６Ｂは、クランク６２がはずみ車１１８からそれを通って軸方向に外向きに延在するように、左右の鉛直方向パネル１１４Ａおよび１１４Ｂの中にそれぞれ形成される。駆動スプロケットまたはプーリ１１９がはずみ車１１８の一方側に固定され、この外周が軸Ｂの周りで同心である。抵抗機構１２０が内部チャンバ１１７内に設けられて、はずみ車１１８およびしたがってユーザのペダルこぎ運動に対する抵抗の量をユーザが制御できるようにする。抵抗を調節するように締めたり緩めたりされ得るはずみ車１１８の外周の周りを包む可撓性抵抗ベルト、同様に抵抗を調節するようにより大きなもしくはより小さな程度にはずみ車１１８が押しやられ得る剛性ブレーキ、または（回転の間にはずみ車に対して加えられるそれ以外の構成要素を介した摩擦をなくす）磁気抵抗機構などのさまざまな抵抗機構を用いてもよい。さらに、たとえば、モーメンタムウォッシュボードフライホイールまたはファンホイールによって調節可能空気抵抗システムを設けてもよい。
【００２６】
空気圧縮器１２２も内部チャンバ１１７内に配設され、従動スプロケットまたはプーリ１２４が圧縮器１２２の駆動軸上に回転可能に装着される。閉じたループを形成する可撓性駆動チェーンまたはベルト１２６が駆動プーリ１１９および従動プーリ１２４の周りに巻かれ、その態様により、駆動プーリ１１９の回転の動きがベルト１２６を自転パターンで動かして従動プーリ１２４を駆動して空気圧縮器１２２にパワーを与え、圧縮されたまたは加圧された空気を発生する。マイクロプロセッサを有する電子制御ユニット１２８も内部チャンバ１１７中に典型的に配設される。空気圧縮器１２２は、圧縮器１２２に固定された第１の端１３２と袋８０の底部に接続される第２の対向端１３４とを有する空気導管１３０を介してシート１２の内部チャンバ８６と流体連通する。空気弁１３６が空気導管１３０に沿って設けられ、導管１３０を通る空気の流れを制御する。制御ユニット１２８は、電気導体または配線１３８を介して空気弁１３６と電気的に通信する。高さセンサ１４０はシート１２の内部チャンバ８６内に袋８０の底部に隣接して装着される。制御ユニット１２８は、電気導体または配線１４２を介してセンサ１４０と電気的に通信する。
【００２７】
図５は、プレート３８Ａが、導管１３０および配線１４２がその中を通る穴１４４で変形されるのを示す。例示的な実施形態では、導管１３０および配線１４２は、フレーム部材２８の前方および後方セクションの部分によって形成される中空チューブを主に通って延在する。袋８０は、その底部に隣接して分厚くなった装着部分１４６を含んで、その第２の端１３４に隣接する導管１３０およびセンサ１４０に十分な支持を与えてもよい。図５に示されるように、袋８０の外面８２は、空気注入式シート１２がその静置状態または位置にある場合に、フレーム１４および床Ｆに対して高さＨ１にある空気注入式シートの頂部に上向きに面する座面１４８を含む。例示的な実施形態では、座面１４８の真下にある内面８４上に参照点Ｐが設けられるが、これは異なってもよい。
【００２８】
図５および図６を主に参照して次にバイク１０の操作を説明する。図５に図示されるように、センサ１４０を用いて、好適に低いパワーのレーザビームＬＢを発するなどにより、センサ１４０と参照点Ｐとの間の鉛直方向距離を測定する。レーザビームは参照点Ｐに向けられ、典型的には反射されて、センサ１４０によって検知され、制御ユニット１２８のマイクロプロセッサに信号を与えて、この鉛直方向距離およびしたがって高さＨ１を確立する。図６に図示されるようにユーザまたは人１５０が座面１４８上に座ると、袋８０はユーザの体重により可撓にかつ伸びるように変形されかつ圧縮されるため、座面１４８を含む袋８０の上側部分は、矢印Ｅで示されるように、下方の高さＨ２まで下向きに動く。これに応じて参照点Ｐが下向きに移動するため、センサ１４０および点Ｐからの鉛直方向距離は図５に示される静置状態に対して減少する。このようにレーザビームＬＢはより短い距離だけ反射されるため、これが検知されて、マイクロプロセッサによって変換される信号を形成し、鉛直方向距離およびしたがって高さＨ２を定める。明らかに、高さＨ１と高さＨ２との間の差、およびしたがって座面１４８が高さＨ１から下向きに移動する度合いはシート１２上に座る人１５０の体重に依存する。高さＨ２がこのようにバイク１０の操作のための最も好ましいまたは所望される高さよりも高いまたは低いかもしれない限り、空気式システムはこのように制御ユニット１２８によって制御されて、空気注入式シート１２にさらに空気注入したりまたはその空気を抜いたりして（袋８０の内圧を調節して）所望の位置に座面１４８の高さを調節してもよい。より特定的には、ユニット１２８によって定められる高さＨ２が高すぎると判断されれば、制御ユニット１２８は弁１３６を制御して、袋８０が好適に空気を抜かれるようにまたはその内圧を低減するようにして、座面１４８を適切な高さに下げることができる。座面１４８の高さが低すぎると判断されれば、制御ユニット１２８は同様に弁１３６を制御して、内部チャンバ８６の中に移動する空気もしくは別の気体を図示する線Ｇによって示されるように、圧縮器１２２からの圧縮空気がシート１２をさらに膨らませたり袋８０の内圧を増大させたりすることができる。例示的な実施形態では、空気圧縮器１２２は、ユーザがペダルをこいでまたはペダルに適切な回転力を加えて、ペダル、はずみ車１１８、および駆動プーリ１１９を回転させてベルト１２６を介して従動プーリ１２４を駆動して空気圧縮器１２２を動作させることによって、ユーザ１５０によってパワーを与えられる。
【００２９】
なお、その上に座るユーザの下向きの力に応答する、図５のその静置位置から図６のその圧縮状態への膨らませたシート１２の動きは、シートの形状を明らかに変えるだけでなく、外面８２とフレーム１４との間の接触表面積も増大させる。より特定的には、図５は、球体１２の底部の外面が静置状態ではプレート３８Ａの頂面の部分にしか接していないことを図示する一方で、図６の圧縮位置のプレート３８Ａの頂面と外面８２との間の接触表面積は、プレート３８Ａの全頂面が外面８２と接していることを示す。さらに、図５は、図５の静置状態では、直立部３２の前方部と外面８２の後方部分との間の相対的に小さな接触面積を示す一方で、図６は、膨らませたシートの圧縮状態における直立部３２の前方部と外面８２との間の実質的により大きな接触表面積を示す。同様に、前方セグメント７８の下方部分と外面８２との間の接触表面積は、図５の静置状態から図６の圧縮状態へ増大している。
【００３０】
図６に図示されるように、ユーザ１５０は典型的に、空気注入式シート１２の上に座り静止バイクのペダルをこいでいる間は、自身の背中をシート背部４０に対してもたれさせている。ユーザは、実線で図示されるようにハンドル７０に、または破線で図示されるようにハンドル３６に掴まってもよい。ハンドル７０または３６中の脈拍または心拍センサは、ユーザの脈拍を検知し、対応する信号を制御ユニット１２８に送り、ユーザがバイク１０で運動している間はユーザの脈拍または心拍を表示するように構成される。より難しいワークアウトを求めているユーザは、ハンドルを全く掴まないことを選択してもよく、さらに背もたれ４０にもたれなくてもよい。手の代替的な位置に関わらず、バイク１０は、主に空気注入式シート１２を介した主に腹筋および背筋のためのコアワークアウトと、主にバイクのペダルこぎを介した心血管ワークアウトとの組合せを提供する。より特定的には、空気注入式シート１２の性質は、ユーザの足がペダル６０に力を加えてバイク１０のペダルをこいでいる間は座面１４８が静止したままでないことを意味する。座面１４８のこの動きは、袋８０を形成する可撓性かつ伸縮可能な材料とともに、シート１２の空気注入式という局面に主によるものであり、これにより座面１４８はフレーム１４に対して任意の方向に動くことができる。このように、ユーザ１５０は、バイクのペダルを同時にこぎつつシート１２上でバランスを取るという付加的な課題に直面する。その結果、ユーザ１５０は、静止シート上での単純なペダルこぎワークアウトの場合に生じるであろうよりも実質的に大きな程度に腹筋および背筋を強制的に使うことになる。
【００３１】
図７−図１２を参照して、次にバイク２００を説明する。バイク２００は、以上でより詳細に説明した球状シート１２を用いるように特に構成されるが、以前にも説明したシート１２Ａおよびシート１２Ｂなどの他のシートを用いるように変形がなされてもよい。バイク２００は、鋼などの金属から典型的に作られる剛性フレーム２１４を含む。フレーム２１４は、フレームおよびバイクの長手方向をその間に規定する前方部１６および後方部１８を有する。フレーム２１４は、フレームおよびバイクの軸方向をその間に規定する左右側２０および２２を有する。例示的な実施形態では、フレーム２１４は典型的には床Ｆ上に着座する（図７−図９）自立フレームとして構成されるが、それは他のやり方で固定されてもよい。
【００３２】
フレーム２１４は、剛性チューブ状軸方向細長前方床または安定性バー２４と、バー２４と実質的に平行の剛性チューブ状軸方向細長後方床または安定性バー２６とを含む。バー２４および２６の各々は典型的に真っ直ぐかつ水平であり、その上に装着される端キャップ２５の形態の左右足部を有するため、足２５の下方部分はそれぞれバー２４および２６から下向きに延在し、床Ｆ上に着座するまたはこれに接する。足部２５は、床に沿った滑りに抗し、床の引っかきを最小限にするまたはなくすために十分に軟らかい材料、たとえばゴム、エラストマー、プラスチック、織物などの材料から典型的に形成される。フレーム２１４は、長手方向に細長く、バー２４と２６との間に水平に延在してこれらに強固に固定される底部長手方向フレーム部材２２８をさらに含む。バー２４および２６の各々は、フレーム部材２２８とのそれらの接続部から反対方向に軸方向外向きに延在するそれぞれの左右セグメントを有する。このように、バー２４および２６は、床上に着座した際にバイク２００に好適な安定性を与える。バー２４および２６ならびにフレーム２２８は、運動器具２００が床Ｆの上に着座されると床に隣接する。
【００３３】
フレーム２１４は、フレーム部材２２８の前方部に強固に固定され、これから上向きに延在して次に後方端へ後ろ向きに延在する剛性前方高所支持部２３０をさらに含む。フレーム２１４は、以下にさらに注記されるように、さまざまな構成要素を支持する剛性クランク支持アセンブリをさらに含む。クランクアセンブリは、上向きにおよび後方に延在するクランク支持バー２０１と、支持バー２０１との剛性接続部へ後方へおよび下向きに延在する付加的なクランク支持バー２０２とを含む。フレーム２１４は、フレーム部材２２８の後方セクションに強固に固定されかつそこから上向きに延在する剛性後方シート背部支持部２３２も含む。長手方向フレーム部材２２８は、実質的に水平でかつ長手方向内部チャンバ２０５をその間に規定する前方および後方端２０３および２０４を有する剛性チューブ状直線水平後方長手方向フレーム部材２３３を含む。後方端２０４は後方バー２６の前方部に強固に固定される。フレーム２１４は、直立支持部２３２に固定され、かつそこからそれぞれ軸方向に外向きに、前方にかつ下向きにフレーム部材２３３へ延在する剛性チューブ状左右アーム２３４Ａおよび２３４Ｂをさらに含む。例示的な実施形態では、左右アーム２３４Ａおよび２３４Ｂは互いの鏡像であり、したがって左右側２０と２２との間の中途の運動器具２００の中心を通る鉛直方向中央長手方向延在平面Ｐ１（図９−図１２）について左右対称である。
【００３４】
後方シート背部支持部２３２は左右剛性支持部材２３５Ａおよび２３５Ｂを含み、例示的な実施形態では、その各々は、前方下方水平長手方向セグメント２４５と、セグメント２４５から上向きおよび後方にカーブするアーチ状背部セグメント２４７と、アーチ状セグメント２４７から上向きに延在する直線上側セグメント２４９とを形成するように曲げられる単一の細長いチューブから形成される。より特定的には、各々のアーチ状セグメント２４７は、下側接続部または遷移部２５１で水平方向セグメント２４５の後方端に固定される下側前方端を有する。各々の直線セグメント２４９の底部端は、セグメント２４７の反対方向にカーブするアーチ状上側接続部または遷移部２５２で各々のアーチ状セグメント２４７の頂部に固定される。各々のアーチ状セグメント２４７は、凹状にカーブした表面２５３と凸状にカーブした背面２５５とを有し、これらは、互いに平行にカーブして、側面から見ると膨らませた球体１２の中心Ｘ（図７）の周りで同心のそれぞれの円の弧に沿って存在する。表面２５３は接続部または遷移部２５１から後方におよび上向きに中心Ｘと等しい高さまで延在するので、当該高さと遷移部２５１との間の表面２５３は上向きにおよび前向きに面する。表面２５３は中心Ｘの高さから上向きに連続して、そこから上向きおよび前向きに遷移部２５２へカーブし、これにより遷移部２５２と中心Ｘの高さとの間の表面２５３は前方におよび下向きに面する。後方から見ると（図９）、支持部材２３５の各々は真っ直ぐかつ鉛直に見えることにより、各々は平面Ｐ１に平行なそれぞれの平面に沿って存在する。左右部材２３５Ａおよび２３５Ｂは実質的に互いと同一であるか互いの鏡像であるため、それらは平面Ｐ１に対して左右対称である。
【００３５】
例示的な実施形態の各々のアーム２３４は、遷移部２５２の下および後方にあるセグメント２４７のうち１つへの剛性接続部２３９に取付けられる第１のまたは後方端２３７からフレーム部材２３３にあるまたはフレーム部材２３３に隣接するセグメント２４５の前方端への剛性接続部２４３に取付けられる第２のまたは前方端２４１へこのように延在する単一のチューブから形成される。後方端２３７および接続部２３９は、前方端２４１および接続部２４３よりも後方にありかつこれらより高い。図８は、端２３７および２３９または接続部２３９および２４３のそれぞれの中心を通って延在する線Ｌ２を図示し、したがって線Ｌ２と床Ｆなどの水平平面とはその間に鈍角Ｋを規定し、このことは、線Ｌ２が上向きかつ後ろ向きに角度付けられていることを部分的に図示する。例示的な実施形態では、角度Ｋは典型的には約１３５度であり、より広くは約１２０、１２５、または１３０度から約１４０、１４５、または１５０度の範囲にあるが、これは異なってもよい。左右サイドグリップハンドルまたはグリップ２３６Ａおよび２３６Ｂはそれぞれ左右アーム２３４Ａおよび２３４Ｂの付近にそれぞれ固定され、典型的には、発泡材、ゴム、またはエラストマーなどの弾性圧縮可能材料から形成される。ハンドルのこれらのグリップは内蔵心拍または脈拍センサを有してもよい。以下にさらに詳細にアーム２３４を説明する。
【００３６】
フレーム２１４はボール１２を支持するアーチ状ボール支持部２３８をさらに含み、以下にさらに詳細に説明する。例示的な実施形態では、フレーム２１４にボール１２を固定するのに、糊、接着剤、または他の締結装置は用いない。このように、ボール１２は、図７−図１２に示される装着位置から図２に示されるのと類似の降ろされたまたは外された位置へ動かされて、ボールまたはシートに加えられる単純な手作業での持ち上げ力によってフレームから分離されてもよい。しかしながら、フレーム２１４にボール１２を固定するのに糊、接着剤、または他の固定具を用いてもよい。たとえば、フック、チェーンの閉じたループもしくはリンク、または繋ぎ綱、コードなどがボール１２からフレーム２１４に延在してボールをフレームに固定してもよい。シート背部２４０は、シート背部４０について以上論じたように支持部２３２に固定される。
【００３７】
フレーム２１４は前方セクション２４２と後方セクション２４４とを含み、これらは典型的には取外し可能に互いに接続され、例示的な実施形態では長さ調節および取外し機構として働く固定機構２４６によって選択的に互いに固定される。機構２４６は、フレーム２１４の長さおよび図７の矢印Ａで示されるようなシートとペダルとの間の長さの調節を可能にするように構成される。前方セクション２４２内のフレーム部材２２８の部分は、前方バー２４に強固に固定される前方端２３１および後方端２２９を有するチューブ２４８の形態の直線水平剛性部材を含む。支持部２３０の左右剛性チューブ状部材２５０Ａおよび２５０Ｂは、それらの下側後方端に沿ってチューブ２４８の対向側に、かつ前方床バー２４の上側部分にも強固に接続される。チューブ状部材２５０Ａおよび２５０Ｂは、それぞれの左右上側セグメント２５６Ａおよび２５６Ｂを含む。一連の長手方向に間隔を空けられた穴５２（図１１）は、チューブ２４８の後方セクションおよびフレーム部材２３３の前方部分の中に形成されるため、これらの部材のうちの各々の穴は互いと整列されて、フレーム２１４の選択された長さで固定された位置の前方および後方セクション２４２および２４４を互いに固定する固定ペグ５４をその中を通して受けてもよい。例示的な実施形態では、フレーム部材２４８の後方端２２９は、たとえば後方位置ＰＲ（図７）で、チューブ状部材２３３の中空内部チャンバ２０５内に、摺動式にまたは入れ子式に受けられる。穴５２およびペグ５４の使用は長さ調節アセンブリのための単純な固定機構を設けるが、技術分野で公知の他の好適な固定機構も用いてもよい。
【００３８】
以上注記したように、機構２４６は、前方セクション２４２を後方セクション２４４から取外すための取外し機構としても働いてもよい。より特定的には、ペグ５４は、穴５２から固定されていない位置へ外されて、チューブ２４８が後方セクションに対して前方に（図７の矢印Ａ１）摺動できるようにして、前方位置ＰＦに位置する端２２９によって破線で図示されるように、内部チャンバ２０５内からチューブ２４８を完全に外してもよい。好ましくは、前方足部２０６が前方端２０３に隣接するフレーム部材２３３の底面に固定され、かつここから下向きに延在する。例示的な実施形態では、前方端はアーム２３４の前方下方端２４１および隣接する接続部２４３に隣接する。このように、前方セクション２４２が後方セクション２４４から取外されると、足部２０６は、床Ｆ上に着座すると、バー２６上に装着される後方足部２５とともに床に接し、これにより床Ｆに対して３点接触を与える。足部２０６は足部２５に関して以上論じたのと同じ種類の材料から形成され、床Ｆの上に着座した際に床を引っかくのを実質的に防止する。このように後方セクション２４４およびシート１２は、前方セクション２４２から取外されるとシートもしくは椅子または別個の運動装置として単に用いることができる別個のシートアセンブリとして構成される。
【００３９】
剛性はずみ車筐体２５８は、前方部１６に一般的に隣接するフレーム２１４に固定される。例示的な実施形態では、筐体２５８はチューブ２５０に固定される。剛性クランク筐体２５９も前方部１６に一般的に隣接するフレーム２１４に固定される。例示的な実施形態では、筐体２５９は筐体２５８に固定され、そこから後方へ、クランク支持アセンブリの支持バー２０１および２０２との接続部へ延在する。筐体２５８および２５９は単一のユニットまたは別個の構成要素として形成されてもよい。１組の左右ペダル６０Ａおよび６０Ｂは、剛性クランクまたは車軸６２を介して車軸６２の水平軸方向延在軸Ｂ（図７、図１０）の周りを回転可能に装着される。クランク６２は筐体２５９から左右へ外向きに延在し、それぞれのペダルアーム６４Ａおよび６４Ｂはクランク６２に対して典型的にほぼ垂直にかつ横断するように延在する。左ペダル６０Ａは、左ペダル車軸の水平軸方向延在軸Ｃ（図１０）の周りを回転可能にペダルアーム６４Ａの外側端に装着されるため、軸Ｃは軸Ｂに平行でありかつこれからオフセットされる。同様に、右ペダル６０Ｂは、右ペダル車軸の別の水平方向軸Ｄの周りで回転可能にペダルアーム６４Ｂの端に装着されるため、軸Ｄは軸ＢおよびＣに平行でありかつこれらからオフセットされる。ペダル６０Ａおよび６０Ｂのペダル車軸はこのように、各々のペダルがそのそれぞれのペダル車軸の周りを回転する間、軸Ｂの周りで同心のそれぞれの円形経路に沿った動作の間揺動する。左右クランク受け穴６６Ａ（図１、図２）および６６Ｂ（図５、図６）がそれぞれ筐体２５９の左右側を通って形成され、それを通してクランク６２のそれぞれの部分を受ける。
【００４０】
剛性ハンドルバー２６８は、片持ち梁状の高所支持部２３０の後方高所自由端に固定される。ハンドルバー２６８は左右セグメントを含み、左右前方グリップハンドル２７０Ａおよび２７０Ｂはそれぞれその末端に固定される。ハンドル２７０は典型的にハンドル２３６のグリップと同様のグリップを含み、したがって同じ材料から形成され、心拍または脈拍センサを含んでもよい。なお、ハンドルバー２６８および／またはハンドル２７０は、ハンドルバー６８およびハンドル７０に関して以上で論じたようにそれらをさまざまな位置の間で動かせるようにさまざまなやり方で装着されてもよい。組合せ表示および制御ユニット２７２が上側バー２０２に固定され、そこから上向きに延在する。ディスプレイ２７２はユニット７２に関して以上論じたのと同じ特徴を含む。ディスプレイ２７２はグリップまたはハンドル２３６および２７０中の内蔵心拍または脈拍センサと電気的に通信する。抵抗コントロール３１０も筐体２５９上のクランク支持アセンブリ上に装着される。
【００４１】
図７、図９Ａ、図９Ｂ、および図１２を主に参照して、次にボール支持部２３８をより詳細に説明する。支持部２３８は、第１のまたは底部プレート３２０と、第２のまたは頂部プレート３２２とを含み、その各々は側面から見るとカーブしている。例示的な実施形態では、底部プレート３２０は、鋼または別の金属などの剛性の材料から形成される。しかしながら、以下にさらに説明するようにいくらかの屈曲を可能にするようにプレート３２０は十分に薄い。底部プレート３２０は典型的にはばね金属から形成される。例示的な実施形態では、頂部プレート３２２は、底部プレート３２０の材料よりは剛性の低い材料から形成される。例示的な実施形態では、頂部プレート３２２は、このようにいくらかの可撓性、およびプレート３２０のように、これを屈曲させる力が一旦除かれるとその元の位置に戻れる能力も可能にするかなり剛性のかつ弾性のプラスチックから形成される。底部プレート３２０は前方および後方軸方向細長平行端または端縁３２４および３２６を有する。例示的な実施形態では、後方端縁３２６は前方端縁３２４よりも後方にあり、かつこれよりも高い。プレート３２０は、前方端縁３２４から後方端縁３２６に延在し、かつそれぞれの直角の角で前方および後方端縁と交差する左右長手方向細長平行端縁３２８および３３０も有する。端縁３２４、３２６、３２８、および３３０はこのように、下から見ると（図１２）、プレート３２０の外周を形成する。底部プレート３２０は、下向きに面する底面３３２と上向きに面する頂面３３４とを有し、その各々は、前方端縁３２４から後方端縁３２６へかつ左端縁３２８から右端縁３３０へ延在する。図９Ａに示されるように、底部プレート３２０ならびにしたがってその下側および上側表面３３２および３３４は、前方を向いた断面で見ると真っ直ぐかつ水平である。側面から見ると（図７、図８、図９Ｂ）、底面３３２は前方端縁３２４から後方端縁３２６へ凸状にカーブし、球体１２の中心Ｘの周りで同心の円の弧を形成する。側面から見ると、頂面３３４は、前方端縁３２４から後方端縁３２６へ凹状にカーブして、中心Ｘの周りで同心のわずかに直径がより小さい円の弧に沿って存在する。底面３３２の曲率半径は各々の支持部材２３５の表面２５３と実質的に同じである。
【００４２】
底部プレート３２０は支持部材２３５に強固に固定され、底面３３２はかなりの距離にわたって後方端縁３２６からセグメント２４５と２４７との間の遷移部２５１付近へ表面２５３に接している。このように底面３３２は表面２５３と嵌まり合うように係合し、例示的な実施形態では底面３３２に沿った長手方向距離の半分および例示的な実施形態ではその距離の約２／３を超える距離に沿って後方端縁３２６から前方端縁３２４に向けて連続して接している。前方端縁３２４から隣接する遷移部２５１への底面３３２はセグメント２４５および部材２３３の水平上面から上向きに間隔を空けられ、およびしたがってこれと接しない。底部プレート３２０の前方セクションはこのように、隣接する遷移部２５１からプレート３２０の自由末端として働く前方端３２４へ上向きにかつ前方に片持ち梁状にされる。
【００４３】
頂部プレート３２２は、下から見るとすべての方向にプレート３２０の外周を越えて外向きに延在する頂部プレート３２２の外周をともに形成する、前方および後方端または端縁３３６および３３８ならびに左右端縁３４０および３４２を有する。前方端縁３３６は底部プレート３２０の前方端縁３２４の前方にありかつこれよりも高い。後方端縁３３８は底部プレート３２０の後方端縁３２６の後方にありかつこれよりも高い。左端縁３４０は左端縁３２８を越えて左に外向きに延在し、同様に右端縁３５０は右端縁３３０を越えて右に外向きに延在する。頂部プレート３２２は、前方端縁３３６から後方端縁３３８へ、かつ左端縁３４０から右端縁３４２へ延在する底面および頂面３４４および３４６を有する。図９Ａに示すように、頂部プレート３２２ならびにしたがってその下面および上面３４４および３４６は、前向きの断面で見ると、真っ直ぐかつ水平である。側面から見ると、底面３４４は前方端縁３３６から後方端縁３３８へ凸状にカーブし、中心Ｘの周りで同心でかつ底部プレート３２０の頂面３３４と実質的に同じ曲率半径を有する円の弧を形成する。側面から見ると、頂面３４６は前方端縁３３６から後方端縁３３８へ凹状にカーブしており、ここでも中心Ｘの周りで同心でありかつ球体１２の膨らませた静置状態の球体１２の外面８２と実質的に同じ曲率半径Ｒ（図７）を有する円の弧に沿って形成するまたは存在する。このように、シート１２が膨らまされてその静置状態にある場合、外面８２は、シート１２が支持部２３８の上に着座している場合は前方端縁３３６から後方端縁３３８へ実質的に連続した態様で頂面３４６に接する。頂部プレート３２２はリベットまたは任意の他の好適な固定機構によって底部プレート３２０に強固に固定されるため、底部プレート３２０の頂面３３４はその全体がまたはほぼその全体が頂部プレート３２２の底面３４４に接する。このように、前方端縁３２４から後方端縁３２６への頂面３３４は底面３４４と実質的に連続的に接する。さらに、頂面３４４は、左端縁３２８から右端縁３３０へ実質的に連続的に底面３４４と接する。
【００４４】
図１２に最もよく図示されるように、頂部プレート３２２の外周は、外周が鋭い角を有しないようにカーブされる。このように、前方端縁３３６は前方におよび上向きに面しかつ凸状にカーブする一方で、後方端縁３３８は主に上向きに面し、これも凸状にカーブする。左側に沿った頂部プレート３２２は３つのローブを有し、ローブは、底部プレート３２０の左端縁３２８を越えて、またローブ間に形成される１対のそれぞれの凹部も越えて左に外向きに延在する。同様に、右側に沿ったプレート３２２は長手方向に間隔を空けられた３つのローブを有し、ローブは、底部プレート３２０の右端縁３３０を越えて、またローブ間にそれぞれ規定される１対の凹部も越えて右に外向きに延在する。プレート３２２の左右側に沿った前方ローブは各々、それぞれ一般的に左および右に面する前方凸状カーブ外面３４８を有する。同様に、プレート３２２の左右に沿った中間ローブは、一般的に左および右にそれぞれ面する中間凸状カーブ外面３５０を有する。さらに、プレート３２２の左右後方ローブは、一般的に左および右にそれぞれ面する後方凸状カーブ面３５２を有する。第１のまたは前方凹状カーブ面３５４はそれぞれの前方ローブと中間ローブとの間に延在し、それぞれの前方および中間凸状カーブ面３４８および３５０とスムーズに連通する。同様に、第２のまたは後方凹状カーブ面３５６はそれぞれの中間ローブと後方ローブとの間に延在して、ほぼ真っ直ぐな端縁セクションを介して、それぞれの中間および後方凸状カーブ面３５０および３５２とスムーズに連通する。
【００４５】
図７−図１２を参照して、フレームのアーチ状左右アーム２３４Ａおよび２３４Ｂは、支持部２３２のそれぞれの部材２３５からそれぞれ軸方向外向きに、上向きに、および前方に延在するそれぞれの左右後方セグメント２７４Ａおよび２７４Ｂと、後方セグメント２７４Ａおよび２７４Ｂからそれぞれ前方に延在するそれぞれの中間セグメント２７６Ａおよび２７６Ｂと、中間セグメント２７６Ａおよび２７６Ｂの前方部からそれぞれ下向きに延在する前方セグメント２７８Ａおよび２７８Ｂとを含む。前方セグメント２７８Ａおよび２７８Ｂは、それらの下方端に隣接して、セグメント２４５およびフレーム部材２３３とのそれらの剛性接続部２４３に向けて軸方向に内向きに延在する。より特定的には、左右後方セグメント２７４Ａおよび２７４Ｂは、直立部２３２から軸方向外向きに延在して、そこから前方におよびわずかに上向きにカーブしてそれぞれ左右中間セグメント２７６Ａおよび２７６Ｂへ遷移し、左右中間セグメント２７６Ａおよび２７６Ｂは前方に、下向きに、および内向きにカーブして左右前方セグメント２７８Ａおよび２７８Ｂへ遷移する。上から見ると（図１１）、後方セグメント２７４Ａおよび２７４Ｂは、それらの内面２８５が凹状にカーブし、互いおよび平面Ｐ１に向けて一般的に前方にかつ軸方向に内向きに面する一方で、それらの外面２８７は、互いおよび平面Ｐ１から離れるように凸状にカーブしかつ一般的に後ろ向きにかつ軸方向に外向きに面するようにカーブする。上から（図１１）または側面から（図７−図８）見ると、中間セグメント２７６は、それらの内面２８８が凹状にカーブして互いおよび平面Ｐ１に向けて一般的に軸方向に内向きに面する一方で、それらの外面２９０が凸状にカーブして、互いおよび平面Ｐ１から離れるように一般的に軸方向に外向きに面するようにカーブする。側面から見ると、後方セグメント２７４および中間セグメント２７６の底部下向き表面２８９は凹状にカーブする一方で、それらの頂部上向き表面２９１は凸状にカーブする。側面から見ると、前方セグメント２７８Ａおよび２７８Ｂの後方に向いた背面２９３は凹状にカーブする一方で、それらの前方の前向きの表面２９５は凸状にカーブする。前方セグメント２７８Ａおよび２７８Ｂの下方端はセグメント２４５およびフレーム部材２３３とのそれらのそれぞれの接続部２４３に向けて後方にカーブする。後ろから（図９）または上から（図１１）見ると、左右アーム２３４Ａおよび２３４Ｂはともに実質的にハート型の構成を形成する。
【００４６】
例示的な実施形態では、各々のアーム２３４は隣接するその後方端２３７からその前方端２４１へ円の弧に沿ってカーブする。さらに、図９Ｃに示されるように、左右アーム２３４Ａおよび２３４Ｂは、それらの全体が、平面Ｐ１内に存在しかつ線Ｌ２に平行な（図８）線Ｌ３で交差するそれぞれの平面Ｐ２およびＰ３に沿って存在する。線Ｌ３と床Ｆなどの水平平面とはその間に角度Ｋを規定し、これはこのように線Ｌ２と水平平面との間に形成される角度と同じである。線Ｌ３に沿って見ると（図９Ｃ）、平面Ｐ２およびＰ３は、例示的な実施形態では約９０度であり、典型的には約７０、７５、８０、または８５度から約９５、１００、１０５、または１１０度の範囲内に入る角度Ｑをその間に規定する。線Ｌ３に沿って見ると、平面Ｐ１およびＰ２は、平面Ｐ１およびＰ３がその間に規定するように、角度Ｓをその間に規定する。このように角度Ｓは角度Ｑの値の半分である。
【００４７】
後方端１８に隣接するフレーム２１４は、頂部入口開口２７７と、前方入口開口２７９と、左後方入口開口２８１と、右後方入口開口２８３とを有するボール受け空間２７５を規定する。ボール受けまたはシート受け空間２７５は、直立部２３２の前方かつボール支持部２３８上に、アーム２３４Ａと２３４Ｂとの間に一般的に規定される。例示的な実施形態では、頂部プレート３２２の頂面３４６が空間２７５の底部を規定し、部材２３５のセグメント２４７の表面２５３が空間２７５の背後を規定し、アーム２３４の中間セグメント２７６および／または前方セグメント２７８の部分が典型的に空間２７５の左右側を規定する。頂部入口開口２７７は中間セグメント２７６Ａと２７６Ｂとの間に規定される一方で、前方入口開口２７９は前方セグメント２７８Ａと２７８Ｂとの間に規定される。左後方入口開口２８１は、左アーム２３４Ａと、頂部プレート３２２の左端縁３４０と、頂部プレート３２２の後方端縁３３８から接続部２３９へ上向きに延在する左支持部材２５３Ａのセグメント２４７の上側部分との間に一般的に規定される。同様に、右後方入口開口２８３は、右アーム２３４Ｂと、頂部プレート３２２の右端縁３４２と、頂部プレート３２２の後方端縁３３８から接続部２３９へ上向きに延在する右支持部材２５３Ｂのセグメント２４７の上側部分との間に一般的に規定される。例示的な実施形態では、入口開口２７７、２７９、２８１、および２８３の各々には、当該入口開口を規定するさまざまな構造同士の間に延在する任意の構成要素がまったくないまたは実質的にない。例示的な実施形態では、器具２００には、膨らませたシート１２以外に、空間２７５の中に延在する構成要素がないまたは実質的にない。
【００４８】
膨らませたシート１２がフレーム２１４上に静置して装着されている場合、外面８２の底部はプレート３２２の頂面３４６上に着座する。これは、外面８２の部分がそこから前方端縁３３６へ前方へかつ上向きに延在し、そこから後方端縁３３８へ後方におよび上向きに延在するのと同様である。後方端縁３３８上の外面８２の後方部分は、シート支持部２３２の表面２５３に隣接し、これと接しないように前方に間隔を空けられる。球状のシート１２の前半分および下側半分の外面８２の左右前方下側部分は、接触点３５８（図７、図８、図１０）で前方セグメント２７８Ａおよび２７８Ｂの下側部分にぴったりと隣接するまたは当接する。さらに、シート１２の後ろ半分および上側半分の外面８２の左右後方上側部分は、接触点３６０（図７−図９）でそれぞれセグメント２７４Ａおよび２７４Ｂにぴったりと隣接するまたは当接する。典型的に、中間セグメント２７６Ａおよび２７６Ｂはシート１２から外向きに間隔を空けられ、したがって静置状態ではまたはユーザがその上に座って圧縮されている場合は、シート１２の外面８２と接していない。また典型的には、以上注記したフレーム２１４のさまざまな表面と外面８２との間の接触の場所または界面は、膨らませたボールが静置状態にある場合はボールとフレームとの間の唯一の接触の場所であり、これにより外面８２の残余はフレーム２１４と接しない。上向きに延在し、シート１２の外面に接するフレームの部分は、これがプレート２３８上を転がるのを実質的に防止する。シート１２は、シート１２とフレーム２１４との間の摩擦係合（用いられる場合は固定装置）により空間２７５内で実質的に回転しないようにも装着される。
【００４９】
球体１２が膨らまされてその静置状態にある場合、フレーム２１４は、頂部入口開口２７７および典型的には前方入口開口２７９の部分を通して受け空間２７５内でシート１２を受けるように構成される。これら開口は、中間セグメント２７６および前方セグメント２７８に沿って一般的に上向きにかつ前方に延在する入口開口をともに形成する。このようにシート１２は、それがボール支持部２３８の上に着座するまで、入口開口２７７および２７９を通して下向きにかつ後ろ向きに挿入される。空間２７５への球体１２のこの挿入は、バイク１０に関して以上論じたように圧縮に係っても係らなくてもよい。
【００５０】
一般的に、左右後方入口開口２８１および２８３は、それぞれの入口開口の少なくとも１つの寸法が膨らませたボールの直径よりも十分に小さいためにこれが器具２００の使用中にそれぞれの入口開口を通って動いてしまわないようにするように構成される。膨らませたボールシート１２が受け空間２７５中に静置状態に位置決めされると、サイドグリップハンドル２３６およびセグメント２７６のうちほとんどは、ボール１２の頂部よりもわずかに低い高さにあるが、それらはわずかに高くてもまたは同じ高さであってもよい。ハンドル２３６および中間セグメント２７６は典型的に、ボールの頂部と底部との間の中途の点（ボールの中心Ｘ）の高さよりも実質的に上にあり、典型的にはボールの高さの少なくとも３／４である。各々のアーム２３４のいちばん上の点３０１は同様に、ハンドル２３６に関して上述したのとほぼ同じ高さにある。さらに、例示的な実施形態では、いちばん上の点３０１は球体１２の後ろ半分に沿って位置決めされる。さらに、いちばん上の点３０１はシート背部２４０の底部に一般的に隣接しかつ軸方向に外向きにある。各々の前方セグメント２７８の最も前方の点３０３は典型的に、ボール１２の最も前方の部分とほぼ同じ距離だけシート支持部または後方端１８から長手方向前方に間隔を空けられる。
【００５１】
次に図７、図８、および図１０−図１２を参照して、筐体２５８は左右鉛直方向パネル３１４Ａおよび３１４Ｂを含む。筐体２５８は、鉛直方向パネル３１４のそれぞれの外周に接続される周壁３１６をさらに含み、これによりパネル３１４および周壁３１６はその中に筐体２５８の内部チャンバ３１７を規定する。ほぼ平らなかつ鉛直方向に向けられたはずみ車３１８が内部チャンバ３１７内に配設され、軸Ｂ、ＣおよびＤに平行でかつその前方にオフセットされる軸Ｊの周りで回転可能である。従動スプロケットまたはプーリ３１３は、その外周が軸Ｊの周りで同心となる状態でその一方側に固定される。抵抗機構１２０が筐体２５９の内部チャンバ内に設けられ、抵抗コントロール３１０によって制御されて、ユーザがはずみ車３１８およびしたがってユーザのペダルこぎ運動に対する抵抗の量を制御できるようにする。バイク１０に関して説明したさまざまな抵抗機構を用いてもよい。駆動スプロケットまたはプーリ３１１は、軸Ｂの周りで同心でかつその周りを回転する、外周を有する筐体２５９の内部チャンバ内に装着される。駆動チェーンまたはベルト３１２はプーリ３１１および３１３の外周の周りを掛け回されるため、駆動プーリ３１１の回転は従動プーリ３１３およびはずみ車３１８の回転をベルト３１２を介して駆動する。穴６６Ａおよび６６Ｂはそれぞれ左右鉛直方向パネル２０８Ａおよび２０８Ｂの中に形成されるため、クランク６２は駆動プーリ３１１からそれを通って軸方向に外向きに延在する。このように、ユーザは自分の足をペダル６０の上に置いて、上述の駆動チェーンを介してペダルが軸Ｂの周りを回転しかつはずみ車３１８が軸Ｊの周りを回転するようにする。
【００５２】
一般的に、バイク２００はバイク１０と同じ態様で動作するが、例示的な実施形態では、バイク２００は、ボール１２の膨らみの度合いを調節するようにバイク１０とともに用いられた空気圧縮器またはセンサを含まない。このように、ユーザは典型的に空気注入式シート１２の上に座り静止バイクのペダルこぎをしながら自分の背中をシート背部２４０にもたせかける。ユーザは、バイク１０に関して説明したように、ハンドル２７０もしくは２３６を保持してもよく、またはどのハンドルにも掴まらないことを選択してもよい。人がバイク２００を用いる態様は、バイク１０に関して論じたのと本質的に同じであり、したがってここではより詳細には説明しない。
【００５３】
バイク１０に関して注記したように、シートの上に座ったユーザの下向きの力に応答して（図６と類似の、また図９Ａおよび図９Ｂに破線で示す）その静置状態からその圧縮状態への膨らませたシート１２の動きは、外面８２とフレーム２１４との間の接触表面積を増大させる。より特定的には、図９Ａは、静置状態では球体１２の底部の外面８２が端縁３４０と３４２との間の一般的に中途の頂部プレート３２２の頂面３４６の部分のみに接することを実線で図示する一方で、圧縮位置（破線）では、外面８２とプレート３２２の頂面３４６との間の接触表面積は実質的により大きな部分であり、典型的には全頂面３４６が外面８２に接する。頂部プレート３２２の左右端縁３４０および３４２に隣接する袋壁８０の動きを矢印Ｍで示す。さらに、図９Ｂは、頂部プレート３２２の後方端縁３３８上の外面８２が、セグメント２４７の表面２５３と接しない実線で示す位置から表面２５３に接する破線で示す圧縮位置へ動くことを図示する。さらに、静置状態から圧縮状態への動きは、外面８２を接触点３５８（図１０）および３６０（図９）と接触させるか、または当該接触点付近で外面８２とアーム２３４との間の接触の量を単に増大させる。
【００５４】
図９Ｂは、ボール支持部２３８の屈曲する動きも矢印ＮおよびＯで図示する。より特定的には、ユーザがボール１２の上に座り、したがってボール１２をその静置状態からその圧縮状態に動かすと、ボール１２に対する下向きおよび／または前向きの力が、部分的に、その前方自由端３２６および３２４に隣接する頂部プレート３２２および底部プレート３２０に転送される。この下向きの力は、プレート３２０および３２２を、実線で示す静置状態または位置から破線で示す圧縮されたまたは下向きに屈曲した位置へ、遷移部２５１に隣接するプレート３２０および３２２の部分の周りを回動する態様で下向きに屈曲させる。ユーザが一旦ボール１２から降りてこうして下向きの力を除くと、底部プレート３２０のばね付勢された特性および頂部プレート３２２の弾性により、プレート３２０および３２２の前方端が、圧縮または屈曲状態から静置状態へと、回動して上向きに戻るように屈曲する。この屈曲の動きを図９Ｂの矢印Ｎで図示する。さらに、シート１２の頂部に対する下向きの圧力は、後方端縁３３８に隣接する頂部プレート３２２に対して部分的に後方に転送される、袋壁８０に沿った径方向外向きの力を加えるため、頂部プレート３２２の上側後方部分は、表面２５３の前方に間隔を空けられた実線で示す位置から表面２５３により近いまたはこれと接する破線で示す屈曲位置へ、底部プレート３２０の隣接後方端縁３２２を回動するように屈曲させる。
【００５５】
当業者には、本発明の範囲内のさまざまな変更がなされてもよいことが明らかであろう。たとえば、空気注入式シートの形状は図に図示するものを超えて異なってもよい。さらに、空気注入式シートをフレームに固定するのに用いる装着構造は図に示すものを超えて異なってもよい。発明のシートは空気または別の気体で膨らまされるものとして上述されたが、これは、操作の間に袋のかなりの量の可撓性も可能にする液体充填シートであってもよい。気体を充填した袋は典型的に、液体で充填した袋と比較して、袋の可撓性ある動きに対する抵抗を最小限にもしつつ重量を低減させる限り、好ましい。さらに、操作の間にユーザのコアマッスルのワークアウトを与えるのに必要なかなりの量の動きを与えるように他のシートを構成してもよい。たとえば、ゲルシートまたはある種類の半固体材料から形成される別のシートが、このコアワークアウトを与えるように好適な種類の動きを与えるように構成されてもよい。膨らみを制御するための弁を有するまたは有しない空気注入式シートの任意のものを用いてもよい。ユーザが力を加えない、圧縮空気のタンクを含んでも含まなくてもよい電動式圧縮器などの代替的な空気式システムを設けてもよい。さらに、バイクによって提供される心血管およびコアワークアウトは、座面の高さを調節するための空気式システムを用いても用いなくても達成される。本明細書中に記載のセンサは膨らませたシートの座面の高さの判定にレーザビームを用いるが、他の公知の距離センサを用いてもよい。シートの代替的な高さ調節は、ポール、シートの装着構造、および膨らませた袋を所望の高さに固定する固定機構を有する標準的な入れ子式ポールなどの代替的なシート高さ調節部も用いてもよい。さらに、ペダルこぎ機構は、ペダル６０の車軸が軸Ｂの周りの円形の経路の周りを動く一方で、ペダル６０が同時にそれらのそれぞれのペダル車軸の周りを回動する、図示されるペダルこぎ概念以外のものに変更されてもよい。たとえば、バイクは、それぞれの車軸の周りの個別のペダルの回転を伴うまたは伴わない楕円形の経路に沿って動くペダルを有するように構成されてもよい。さらに、バイクは、たとえば「ステッパ」器具により近い、厳密に線形の経路に沿ってペダルが前後に動くように構成されてもよい。これらのオプションの各々は、操作中にユーザの足およびペダルの揺動の動きを与える。さらに、例示的な実施形態の１組のペダルははずみ車１１８に固定される。さらに、本発明の静止バイクは横になったタイプのバイクとして示されるが、本発明はむしろ直立静止バイクとして構成されてもよいことも企図される。バイクは、キーホルダー、カップホルダーまたはボトルホルダー、タオルラックまたは他の種類のタオルホルダーなどの、ユーザにとって便利なさまざまな構造を有するように構成されてもよい。本発明の範囲内の他の変形例が当業者には明らかであろう。
【００５６】
以上の説明では、簡潔性、明確さ、および理解のためにある用語を用いた。先行技術の要件を超えてそこから不要な限定が暗示されてはならない。なぜならそのような用語は説明の目的のために用いられかつ広く解釈されることが意図されるからである。
【００５７】
さらに、発明の説明および図示は一例であり、示されるまたは記載される正確な詳細に発明が限定されるわけではない。
【図１】
2012527301.tif 000003
【図２】
2012527301.tif 000004
【図３】
2012527301.tif 000005
【図４】
2012527301.tif 000006
【図５】
2012527301.tif 000007
【図６】
2012527301.tif 000008
【図７】
2012527301.tif 000009
【図８】
2012527301.tif 000010
【図９】
2012527301.tif 000011
【図９Ａ】
2012527301.tif 000012
【図９Ｂ】
2012527301.tif 000013
【図９Ｃ】
2012527301.tif 000014
【図１０】
2012527301.tif 000015
【図１１】
2012527301.tif 000016
【図１２】
2012527301.tif 000017
【国際調査報告】
2012527301.tif 000018